(57)【要約】【課題】ピッキング、バンピング等のドアー錠の不正解錠に対して効果的に対応できる保護機構を提供すること。【解決手段】適正な鍵を用いた解錠施錠操作を可能としながら、ドアー錠、及び錠孔を隠蔽し、屋外側への露出を最小化することにより、不正破壊解錠対策として有効であるとともに、さらに、ドアー錠の識別を困難とし、様々な工具を錠孔より差し込み錠内部を操作することが困難となるため、不正非破壊解錠対策としても有効である。【選択図】図１３
2009162040.tif 000002
【特許請求の範囲】
【請求項１】
ドアー部に設置され、屋外側に設けられた錠孔に鍵を差し込み、回転することによって施錠及び解錠するドアー錠において、
ドアー錠を囲んでドアーまたはドアー錠に固着される装着部と、前記装着部上に屋外側に向かって形成されたスロット保持部と、前記スロット保持部に嵌合し前記鍵が回転軸に沿って挿入可能な挿入孔を有する回転可能な回転スロットとより構成されることを特徴とする錠保護機構。
【請求項２】
ドアー部に設置され、屋外側に設けられた錠孔に鍵を差し込み、回転することによって施錠及び解錠するドアー錠において、
前記回転スロットの前記回転軸上屋外側にあって且つ前記スロット保持部に嵌合し前記鍵が挿入可能な挿入孔を有する回転不可能な非回転スロットを有することを特徴とする請求項１記載の錠保護機構。
【請求項３】
ドアー部に設置され、屋外側に設けられた錠孔に鍵を差し込み、回転することによって施錠及び解錠するドアー錠において、
前記回転スロット及び前記非回転スロットは前記回転軸に沿って移動可能であることを特徴とする請求項１または２記載の錠保護機構。
【請求項４】
ドアー部に設置され、屋外側に設けられた錠孔に鍵を差し込み、回転することによって施錠及び解錠するドアー錠において、
前記非回転スロット上に屋外側に向かって形成された前記鍵が挿入可能なハンドルを有することを特徴とする請求項１、２または３記載の錠保護機構。
【請求項５】
ドアー部に設置され、屋外側に設けられた錠孔に鍵を差し込み、回転することによって施錠及び解錠するドアー錠において、
前記回転スロット内に前記鍵の挿入によって作動するゲートを有することを特徴とする請求項１、２、３または４記載の錠保護機構。
【請求項６】
ドアー部に設置され、屋外側に設けられた錠孔に鍵を差し込み、回転することによって施錠及び解錠するドアー錠において、
前記ゲートの作動を検知し、記録または外部に送信するゲート作動検知装置を有することを特徴とする請求項１、２、３，４、または５記載の錠保護機構。
【発明の詳細な説明】
【技術分野】
【０００１】  本発明は、ドアーに設置され、屋外側に設けられた錠孔に鍵を差し込み、回転することによって施錠及び解錠するドアー錠において、屋外側より概錠孔の回転軸延長上にドアー屋外側に装着するドアー錠の保護機構の構造に関するものである。
【背景技術】
【０００２】  一般に各種建物に設置されているドアーには防犯のためのドアー錠が設けられている。このドアー錠は、ドアーの開閉を操作するドアーノブの近くに独立して、または、ドアーノブと一体化した構造で設けられている。ドアーの施錠は、ドアー本体よりデッドボルトをドアー枠側に移動し突出させ、ドアー枠のデッドボルト受けに系止することによって行われる。このデッドボルトを移動するための回転軸がドアーを貫通しており、このドアー錠の開閉は、屋内側においては、回転軸に連結したサムターンを回転することによってなされる。また、屋外側においては、適正な鍵を錠孔に挿入し系止状態を解除することによって回転軸の回転を可能とし、施錠位置、または、解錠位置に、回転軸を、鍵を回転することによってなされる。【０００３】  ドアー錠の不正解錠の方法として非破壊解錠があり、従来、ピッキングが知られているが、最近では、錠孔にバンプキーと呼ばれる不正鍵を差し込み、鍵後端に衝撃を加えて、錠回転部に回転力を加えながら内部ピン等を移動させて、瞬時に解錠を行うバンピングが広まっている。他の方法としては破壊解錠がある。【０００４】  対策としては、より高性能なドアー錠への交換、複数のドアー錠の設置、電子錠等を備えた扉箱によってドアー錠自体を覆い隠蔽するような方法等がある。
【発明の開示】
【発明が解決しようとする課題】
【０００５】
【０００６】  より高性能なドアー錠への交換は、より高度の非破壊解錠方法が開発され効果が長期間持続しない可能性があるという問題がある。さらに、複数のドアー錠の設置、電子錠等を備えた扉箱によってドアー錠自体を隠蔽するような方法は、鍵を複数持つ必要があり、操作が複雑化するという問題がある。【０００７】  本発明の目的は、上記問題を解決し、ドアー錠の不正解錠に対して効果的に対応できる保護機構を提供することである。
【課題を解決するための手段】
【０００８】
【０００９】  このような目的を達成するために、本出願の請求項１記載の錠保護機構は、ドアー部に設置され、屋外側に設けられた錠孔に鍵を差し込み、回転することによって施錠及び解錠するドアー錠において、ドアー錠を囲んでドアー、または、ドアー錠に固着される装着部と、前記装着部上に屋外側に向かって形成されたスロット保持部と、前記スロット保持部に嵌合し前記鍵が回転軸に沿って挿入可能な挿入孔を有する回転可能な回転スロットとより構成されることを特徴とする。【００１０】  請求項２に記載の発明は、請求項１記載の錠保護機構において、前記回転スロットの前記回転軸上屋外側にあって且つ前記スロット保持部に嵌合し前記鍵が挿入可能な挿入孔を有する回転不可能な非回転スロットを有することを特徴とする。【００１１】  請求項３に記載の発明は、請求項１または２記載の錠保護機構において、前記回転スロット及び前記非回転スロットは前記回転軸に沿って移動可能であることを特徴とする。【００１２】  請求項４に記載の発明は、請求項１、２または３記載の錠保護機構において、前記非回転スロット上に屋外側に向かって形成された前記鍵が挿入可能なハンドルを有することを特徴とする。【００１３】  請求項５に記載の発明は、請求項１、２、３または４記載の錠保護機構において、前記回転スロット内に前記鍵の挿入によって作動するゲートを有することを特徴とする。【００１４】  請求項６に記載の発明は、請求項１、２、３，４、または５記載の錠保護機構において、前記ゲートの作動を検知し、記録または外部に送信するゲート作動検知装置を有することを特徴とする。
【発明の効果】
【００１５】  以上のように、本錠保護機構をドアー錠に装着することにより、ドアー錠を隠蔽するため、破壊解錠対策として有効であるとともに、錠孔の屋外側に鍵の挿入孔のみを有する回転スロットを配置することにより、ドアー錠の識別を困難とし、様々な工具を錠孔より差し込み錠内部を操作することが困難となるため、非破壊解錠対策としても有効である。【００１６】  また、非回転スロットを回転スロットの屋外側に配置することにより、さらに、様々な工具を錠孔より差し込み錠内部を操作すること、とりわけ、回転力を与えることが困難となるため、非破壊解錠対策として有効である。【００１７】  また、非回転スロットと回転スロットを回転軸に沿って移動可能とすることにより、適合した鍵による合法解錠操作がより安全に行えるという効果がある。【００１８】  また、ハンドルを非回転スロットに付加することによって、錠孔へのアクセス及び回転力付加が、著しく困難となり、非破壊解錠対策として極めて有効である。【００１９】  また、ゲート及びゲート作動検知装置を備えることにより不正解錠に対して抑止力を高めることが可能となる。
【発明を実施するための最良の形態】
【００２０】
【００２１】  以下、図面を参照しながら本発明の実施形態について説明する。図１は、本発明の第一実施形態の対象となるドアー錠と鍵を示す斜視図である。ドアー錠と鍵は、ドアー錠１００と、ドアー錠１００上に形成された錠孔１０１と、首部１０２と、鍵１１０と、キーチェイン１１１とより構成されている。【００２２】  図２は、第一実施形態の錠保護機構を示す分解斜視図である。錠保護機構は、装着部２００と、スロット保持部３００と、回転スロット４００と、非回転スロット５００と、ハンドル６００とよりなっている。装着部２００は、中央にドアー錠１００より大きな円形孔２１４を有するベース２１０と、円形孔２１４の内側左右に配置された２個のドアー錠固定板２２０とよりなっている。ベース２１０の四隅には、各々ネジ孔２１１が設けられている。ベース２１０の左右には、ドアー固定板２２０を締め付けるため各々ネジ孔２１２が設けられていて、各々のネジ孔２１２と垂直に貫通孔２１３が各々設けられている。スロット保持部３００は、ベース２１０に各々固定された４個の保持棒３１０と、保持棒３１０の各々の他端に固定された開口部を有する保持板３２０とよりなっている。回転スロット４００は、リング４１０と、シリンダ４２０と、回転スロット本体４３０と、後述するゲート４４０とよりなっている。リング４１０上には、非回転スロット固定孔４１１が形成されている。シリンダ４２０は、前後に開口部を有しているとともに、内径はドアー錠１００より大となっている。回転スロット本体４３０上には、回転スロット鍵挿入孔４３１が形成されている。リング４１０と、回転スロット本体４３０と、シリンダ４２０の屋外側端（図２右側）とは、同一面に位置している。非回転スロット５００上には、スロット保持部３００の保持棒３１０に嵌合する装着孔５０１と、リング４１０の非回転スロット固定孔４１１に対応する回転スロット連結ネジ孔５０２と、ハンドル６００を固定するためのハンドル固定孔５０３と、非回転スロット鍵挿入孔５０４とが形成されている。ハンドル６００上には、ハンドル固定孔５０３を介して非回転スロット５００に固定されるためのネジ孔（図示せず）が屋内側端（図２左側）に形成されている。【００２３】  図３は、第一実施形態の錠保護機構の回転スロットを示す分解斜視図である。シリンダ４２０は、屋外側端（図３右側）が肉厚となっている。この肉厚部を挟んでネジ（図示せず）により非回転スロット固定孔４１１と回転スロット連結ネジ孔５０２とを結合することによって回転スロット４００は、回転可能でありながら非回転スロット５００と一体となる。回転スロット本体４３０は、シリンダ４２０内に固定されている。回転スロット本体４３０の屋内側（図３左側）に回転スロット鍵挿入孔４３１を挟む状態でゲート４４０が固定されている。ゲート４４０は、２個のゲート板４４１と、ゲート板４４１の各々を回転軸中心方向に押圧する２個のバネ４４２と、ゲート板４４１の作動を検知記録送信するゲート作動検知装置４４３とより構成されている。ゲート板４４１は、通常はバネ４４２により閉じられているが、鍵１１０の差し込み及び引き抜きに伴って作動開閉する。【００２４】  図４は、第一実施形態の���保護機構のゲート作動検知装置の概略構成を示す図である。ゲート作動検知装置４４３は、電源４４４と、検知部４４５と、制御部４４６と、通信部４４７とより構成されている。電源４４４は、ゲート作動検知装置４４３が作動するのに必要な電力を供給する。検知部４４５は、ゲート板４４１の作動を検知する。制御部４４６は、検知部４４５より作動信号を取り込み、そのつど、内蔵した時計により作動年月日時刻を付加して時系列データとして内蔵したメモリーに記録すると同時に、通信部４４７を介して外部からの指示信号に従って時系列データを外部に送信する。【００２５】  図５は、第一実施形態の錠保護機構を示す斜視図である。第一実施形態の錠保護機構をドアー及びドアー錠１００に装着するためには、屋外側（図５右側）より、ドアー錠１００をベース２１０の円形孔２１４に貫通させ、ベース２１０をドアー（図示せず）に密接させた状態で、左右のドアー錠固定板２２０を左右のネジ孔２１２に止めネジ（図示せず）で中心方向に締めて首部１０２を介して固定する。【００２６】  第一実施形態の錠保護機構をドアー錠１００に装着した後、屋外側より、貫通孔２１３に平行ピン（図示せず）を打ち込むことによって前記止めネジの操作を不可能とし、錠保護機構の屋外側からの不正取り外しを防ぐことができる。【００２７】  さらに、ベース２１０の四隅のネジ孔２１１にドアーを貫通して室内側からボルトにより固定することにより、防犯性を高めることが可能である。【００２８】  以下、第一実施形態の錠保護機構における施錠（または解錠）操作を説明する。ここでは、鍵１１０はキーチェイン１１１を取り外した状態で使用することを前提としている。図６は、第一実施形態の錠保護機構の回転スロット及び非回転スロットが引き出され鍵がハンドルにセットされようとしている状態を示すＡ−Ａ模式断面図である。まず、回転スロット４００及び非回転スロット５００を屋外側に引き出しながら回転スロット本体４３０の回転スロット鍵挿入孔４３１が錠孔１０１と同様、垂直位置となるようにシリンダ４２０を回転させる。この操作は、この状態で、鍵１１０を非回転スロット５００の非回転スロット鍵挿入孔５０４より上下何れか斜めより差し込むことによってなされる。垂直面に沿って鍵１１０を挿入できる隙間を有しているハンドル６００は、回転軸上の屋外側端（図６右側）が閉じている。このことにより、工具等を用いた不正解錠対策としてより効果的であると考えられる。【００２９】  図７は、第一実施形態の錠保護機構の回転スロット及び非回転スロットが引き出され鍵がハンドルにセットされた状態を示すＡ−Ａ模式断面図である。この操作は、図６の状態から鍵１１０の中心軸をハンドル６００の中央に回転軸と一致させることによってなされる。【００３０】  図８は、第一実施形態の錠保護機構の回転スロット及び非回転スロットが押し込まれ鍵が差し込まれた状態を示すＡ−Ａ模式断面図である。この操作は、図７の状態から鍵１１０とハンドル６００を持ちながらを屋内側にハンドル６００を押し込み、さらに、鍵１１０を錠孔１０１に完全に差し込むことによってなされる。【００３１】  図９は、第一実施形態の錠保護機構の回転スロット及び非回��スロットが引き出され鍵が差し込まれた状態を示すＡ−Ａ模式断面図である。この操作は、図８の状態からハンドル６００を鍵１１０が差し込まれた状態のままで、鍵１１０の後端より非回転スロット５００の屋内側端面が屋外側となる位置まで引き出すことによってなされる。【００３２】  図１０は、第一実施形態の錠保護機構の回転スロット及び非回転スロットが引き出され鍵が差し込まれ且つ９０度回転された状態を示すＡ−Ａ模式断面図である。この操作は、図９の状態からシリンダ４２０を９０度回転することによってなされる。第一実施形態の錠保護機構では、鍵１１０を垂直位置より左右いづれかに９０度回転することによって施錠（または解錠）位置となるため、この操作によって施錠（または解錠）状態となる。【００３３】  次に、以上説明した図６より図１０の操作手順を逆に行うことによって鍵１１０を第一実施形態の錠保護機構より引き抜くことができ、施錠（または解錠）操作が完了する。【００３４】  以上の説明のように、第一実施形態の錠保護機構は、回転スロットと、非回転スロットと、ハンドルとにより、外部より不正な工具キー等を挿入し回転を含む不正解錠操作を行うことが著しく困難となるという効果がある。【００３５】  第一実施形態の錠保護機構において、シリンダ４２０の屋内側開口部の内側は、ドアー錠１００との間に防犯上問題のない程度の隙間を有していて、意図的に異物等が屋外側より非回転スロット５００及び回転スロット４００を介して挿入されても、本錠保護機構がドアー錠１００に装着された状態で回転スロット４００及び非回転スロット５００を引き出すことにより外部に排出できるようになっている。【００３６】  第一実施形態の錠保護機構のハンドル６００は、取り外して使用した場合、防犯性能をある程度維持しながら操作が容易となるという効果がある。【００３７】  第一実施形態の錠保護機構の回転スロット４００と非回転スロット５００は、結合せず各々が独立に回転軸に沿って移動可能としてもよい。たとえば、回転スロット４００は、錠１００との間隔が最適となるような位置に置き、非回転スロット５００のみを移動するようにしてもよい。この場合、回転スロット４００と非回転スロット５００の間に生じる隙間は、必要であれば、非回転スロット５００上に屋内側に向かいシリンダ４２０の外側を覆い且つ重なるような円筒を付加するなどして、防犯上問題ない程度とすることが必要となる。【００３８】  図１１は、第二実施形態の錠保護機構を示す斜視図である。第二実施形態の説明においては、第一実施形態と同一の機構は、同一の符号を付けて説明を省略する。第二実施形態の錠保護機構は、装着部２００と、スロット保持部３００と、回転スロット４００と、非回転スロット７００とより構成されている。非回転スロット７００は、保持板３２０と一体化し、固定されていて、鍵１１０が挿入可能な非回転スロット鍵挿入孔７０１を有する。非回転スロット鍵挿入孔７０１の形状は、鍵１１０の後端にキーチェイン１１１が付加された状態でも挿入が可能となるように回転軸上に円形孔が設けられている。第二実施形態の錠保護機構における施錠（または解錠）操作は、錠孔１０１への鍵１１０の差し込み及び引き抜きを、非回転スロット７００の位置を変えることなく（回転軸に沿って移動することなく）、キーチェイン１１１を利用して行うことを前提としている。すなわち、まず、鍵１１０をキーチェイン１１１の一端を保持しながら錠孔１０１へ差し込み、その状態でシリンダ４２０を左右の施錠（または解錠）位置まで９０度回転することによってなされる。さらに、９０度逆回転し、キーチェイン１１１の一端を保持して引き抜くことで操作は完了する。【００３９】  図１２は、第二実施形態の錠保護機構に利用可能な鍵を示す斜視図である。鍵１２０は、後端が回転軸上に突起１２１を有している。鍵１２０を利用して、前述したキーチェイン１１１を利用した施錠（または解錠）操作と同様に、突起１２１を保持して第二実施形態の錠保護機構の施錠（または解錠）を行うことができる。突起１２１の幅を充分小さくすることによって、非回転スロット鍵挿入孔７０１の形状は、第一実施形態の非回転スロット鍵挿入孔５０４の形状と同一とすることが可能であり、防犯性能を向上させることができる。【００４０】  以上の説明のように、第二実施形態の錠保護機構においては、回転スロットと、非回転スロットとにより、外部より不正な工具キー等を挿入し回転を含む不正解錠操作を行うことを困難としながら、錠孔１０１への差し込みは、キーチェイン１１１、または、鍵１２０を保持した状態で行えるため、操作が容易となるという効果がある。【００４１】  図１３は、第三実施形態の錠保護機構を示す斜視図である。第三実施形態の説明においては、第一実施形態と同一の機構は、同一の符号を付けて説明を省略する。第三実施形態の錠保護機構は、装着部２００と、スロット保持部８００と、回転スロット４００とより構成されている。スロット保持部８００は、保持棒８１０の長さが第一実施形態の保持棒３１０より短いことを除いては第一実施形態と同一である。保持棒８１０の各々の長さは、シリンダ４２０の長さより僅かに長いため、シリンダ４２０の屋内側端はベース２１０にほぼ接している。従って、回転スロット４００は、回転は可能であるが回転軸に沿って移動することは不可能となっている。さらに、回転スロット４００と錠孔１０１との間隔は、第一実施形態及び第二実施形態と比較して、より近いため、鍵１１０を錠孔１０１に差し込んだ時、鍵１１０の後端が屋外側へ露出する。このため、第三実施形態の錠保護機構における施錠（または解錠）操作は、鍵１１０の後端を保持しながら行うことを前提としている。すなわち、まず、鍵１１０を回転スロット鍵挿入孔４３１へ差し込み、次に、そのまま、錠孔１０１へ完全に差し込み、その状態で左右の施錠（または解錠）位置まで９０度回転することによってなされる。さらに、９０度逆回転し、鍵１１０の後端を保持して引き抜くことで操作は完了する。【００４２】  第三実施形態の錠保護機構においては、解錠操作時、鍵１１０の後端が屋外側に露出するが、ドアー錠１００用に不正に作成したバンプキーを錠孔１０１に差し込んだ上で、バンプキーの後端に衝撃を与えて不正解錠を試みようとすると、当該衝撃は、鍵１１０に密接している回転スロット鍵挿入孔４３１を経由して、錠１１０の回転部と比較して慣性モーメントが大き���回転スロット４００に吸収されるため、その影響を受け、錠１００に達する当該衝撃による錠１００の解錠が困難となり、バンピング対策として有効であると考えられる。【００４３】  第一、第二、及び第三実施形態の錠保護機構においては、実施時、いずれも、錠１００を隠蔽するため、錠種類、型名等の特定が困難となり不正解錠対策として有効であると考えられる。【００４４】  さらに、ゲート作動検知装置４４３によって不正解錠の年月日時刻データが記録されると同時に携帯電話、インターネット等へ送信されることにより、不正解錠の抑止効果が期待できると共に、不正解錠が行われた場合は、当該データを客観的証拠として利用することが可能となる。【００４５】  ゲート作動検知装置４４３による鍵１１０の挿入の検知方法は、第一、第二、及び第三実施形態におけるゲート板４４１とバネ４４２を用いず、たとえば、鍵挿入経路上を挟んで光源とセンサを有する光学的ゲートによって実施してもよい。【００４６】  第一、第二、及び第三実施形態のスロット保持部の形状は、スロット保持部３００及びスロット保持部８００以外であってもよい。たとえば、多角形を断面とする操作開口部を有する筒で回転スロット４００を囲った形状、または、ベース２１０に回転スロット４００の屋内側端を回転可能としながら系止保持する回転系止溝を付加した形状等によって実施してもよい。【００４７】    第一、第二、及び第三実施形態の装着部、スロット保持部、回転スロット、非回転スロット及びハンドルをモジュラー化することにより、現場で利用環境、経験に応じて本錠保護機構を適時再構成できる機能を付加することが可能となり利便性が向上する。
【図面の簡単な説明】
【００４８】
【図１】ドアー錠と鍵を示す斜視図である。
【図２】第一実施形態の錠保護機構を示す分解斜視図である。
【図３】第一実施形態の錠保護機構の回転スロットを示す分解斜視図である。
【図４】第一実施形態の錠保護機構のゲート作動検知装置の概略構成を示す図である。
【図５】第一実施形態の錠保護機構を示す斜視図である。
【図６】第一実施形態の錠保護機構の回転スロット及び非回転スロットが引き出され鍵がハンドルにセットされようとしている状態を示すＡ−Ａ模式断面図である。
【図７】第一実施形態の錠保護機構の回転スロット及び非回転スロットが引き出され鍵がハンドルにセットされた状態を示すＡ−Ａ模式断面図である。
【図８】第一実施形態の錠保護機構の回転スロット及び非回転スロットが押し込まれ鍵が差し込まれた状態を示すＡ−Ａ模式断面図である。
【図９】第一実施形態の錠保護機構の回転スロット及び非回転スロットが引き出され鍵が差し込まれた状態を示すＡ−Ａ模式断面図である。
【図１０】第一実施形態の錠保護機構の回転スロット及び非回転スロットが引き出され鍵が差し込まれ且つ９０回転された状態を示すＡ−Ａ模式断面図である。
【図１１】第二実施形態の錠保護機構を示す斜視図である。
【図１２】第二実施形態の錠保護機構に利用可能な鍵を示す斜視図である。
【図１３】第三実施形態の錠保護機構を示す斜視図である。
【符号の説明】
【００４９】１００  ドアー錠
１０１  錠孔
１０２  首部
１１０  鍵
１１１  キーチェイン
１２０  鍵
１２１  突起
２００  装着部
２１０  ベース
２１１  ネジ孔
２１２  ネジ孔
２１３  貫通孔
２１４  円形孔
２２０  ドアー錠固定板
３００  スロット保持部
３１０  保持棒
３２０  保持板
４００  回転スロット
４１０  リング
４１１  非回転スロット固定孔
４２０  シリンダ
４３０  回転スロット本体
４３１  回転スロット鍵挿入孔
４４０  ゲート
４４１  ゲート板
４４２  バネ
４４３  ゲート作動検知装置
４４４  電源
４４５  検知部
４４６  制御部
４４７  通信部
５００  非回転スロット
５０１  装着孔
５０２  回転スロット連結ネジ孔
５０３  ハンドル固定孔
５０４  非回転スロット鍵挿入孔
６００  ハンドル
７００  非回転スロット
７０１  非回転スロット鍵挿入孔
８００  スロット保持部
８１０  保持棒
【図１】
2009162040.tif 000003
【図２】
2009162040.tif 000004
【図３】
2009162040.tif 000005
【図４】
2009162040.tif 000006
【図５】
2009162040.tif 000007
【図６】
2009162040.tif 000008
【図７】
2009162040.tif 000009
【図８】
2009162040.tif 000010
【図９】
2009162040.tif 000011
【図１０】
2009162040.tif 000012
【図１１】
2009162040.tif 000013
【図１２】
2009162040.tif 000014
【図１３】
2009162040.tif 000015